(57)【特許請求の範囲】
【請求項１】
屋根の棟部に取付けられて屋根上作業用の親綱を固定する親綱固定金具であって、
前記棟部に固定される下部品と、前記親綱を固定する上部品とを一体・分離可能に備え、前記下部品と上部品との間に高さ調整可能なスペーサを介装可能としており、
前記下部品は、側面視で、内部が中空のほぼハット状とされ、その頂部にはボルト孔が形成されているとともに、当該ボルト孔の下面側には、ナット部材が配設されており、
前記上部品には、前記下部品の前記ボルト孔と対応する位置にボルト孔が形成されており、
前記上部品の前記ボルト孔と前記下部品の前記ボルト孔と前記ナット部材とに締結ボルトの挿入・取外しをすることで、前記下部品と前記上部品とが一体・分離可能とされているとともに、
前記下部品と前記上部品との間に、所望の高さ調整に必要な個数の前記スペーサを介装可能とされていることを特徴とする親綱固定金具。
【請求項２】
請求項１記載の親綱固定金具を屋根の棟部に取付け、下部品と上部品との間隙に屋根葺材の上端部を挿入可能としたことを特徴とする屋根構造。
【発明の詳細な説明】
【０００１】
【発明の属する技術分野】
この発明は、屋根の棟部に取付けられて屋根上作業用の親綱を固定する親綱固定金具および屋根構造に関するものである。
【０００２】
【従来の技術】
屋根の棟部に取付けられて屋根上作業用の親綱を固定する親綱固定金具が従来より用いられている。
【０００３】
従来の親綱固定金具には、特開平１０−１５９２８６号公報等に記載されているように、屋根の棟部に固定される下部品と、下部品から起立された起立板と、起立板の上端から両側に張出して親綱を固定可能な上部品とを一体化したものがある。
【０００４】
【発明が解決しようとする課題】
しかしながら、このような従来の親綱固定金具では、下部品と起立板と上部品とが一体化されていたため、屋根葺材の上端部の厚みの変化に対応することができず、汎用性がないという問題があった。
【０００５】
また、下部品と起立板と上部品とが一体化されていたため、下部品と上部品とが上下に重なる部分で下部品を棟部に固定することができないという問題があった。
【０００６】
そこで、本発明の目的は、上記の問題点を解消し、屋根葺材の上端部の厚みの変化に対応することが可能で、且つ、下部品全体を固定することが可能な親綱固定金具および屋根構造を提供することにある。
【０００７】
【課題を解決するための手段】
上記課題を解決するために、請求項１に記載された発明では、屋根の棟部に取付けられて屋根上作業用の親綱を固定する親綱固定金具であって、前記棟部に固定される下部品と、前記親綱を固定する上部品とを一体・分離可能に備え、前記下部品と上部品との間に高さ調整可能なスペーサを介装可能としており、前記下部品は、側面視で、内部が中空のほぼハット状とされ、その頂部にはボルト孔が形成されているとともに、当該ボルト孔の下面側には、ナット部材が配設されており、前記上部品には、前記下部品の前記ボルト孔と対応する位置にボルト孔が形成されており、前記上部品の前記ボルト孔と前記下部品の前記ボルト孔と前記ナット部材とに締結ボルトの挿入・取外しをすることで、前記下部品と前記上部品とが一体・分離可能とされているとともに、前記下部品と前記上部品との間に、所望の高さ調整に必要な個数の前記スペーサを介装可能とされていることを特徴としている。
【０００８】
このように構成された請求項１にかかる発明によれば、前記下部品と上部品とをスペーサを介して高さ調整可能としたことにより、屋根のパターンや屋根葺材の種類などによって屋根葺材の上端部の厚みが変化しても、対応することが可能となり、汎用性を確保することが可能となる。また、下部品と上部品とを一体・分離可能としたことにより、下部品と上部品とが上下に重なる部分で下部品を棟部に固定することができるようになり、その分、下部品を小型化することが可能となる。
【０００９】
請求項２に記載された発明では、請求項１記載の親綱固定金具を屋根の棟部に取付け、下部品と上部品との間隙に屋根葺材の上端部を挿入可能としたことを特徴としている。
【００１０】
このように構成された請求項２にかかる発明によれば、請求項１と同様の作用効果を得ることができる。
【００１１】
【発明の実施の形態１】
以下、本発明の具体的な実施の形態１について、図示例と共に説明する。
【００１２】
図１〜図１３は、この発明の実施の形態１を示すものである。
【００１３】
まず、構成を説明すると、勾配屋根１の棟部２は、棟木３、垂木４、図示しない妻トラス梁などで組立てられた両流れ構造の屋根枠組の上部に、構造用合板やパーティクルボードなどの野地板６（屋根面材）を取付けて屋根構面とし、更に、野地板６の上にアスファルトルーフィングなどの防水紙８を張付けてから、例えば、セメント瓦やスレートなどの屋根葺材９を葺設して構成されている。
【００１４】
また、両側最上段の屋根葺材９の上部には、それぞれ、棟面戸１０を介して、大棟包下地板１１が配設され、これら大棟包下地板１１は、それぞれの上面側から最上段の屋根葺材９および野地板６までを貫く長釘１２で釘止めされた状態で、大棟包１３によって被包されている。大棟包１３は、側板部を大棟包下地板１１の側面に釘打ちすることにより固定されている。
【００１５】
上記勾配屋根１の棟部２には屋根上作業用の親綱を固定する親綱固定金具１５が取付けられている。この親綱固定金具１５は、棟部２に固定される下部品１６と、親綱を固定する上部品１７とを一体・分離可能に備えている。そして、下部品１６と上部品１７との間に高さ調整可能なスペーサ１４を介装可能としている。
【００１６】
下部品１６は、全体として側面視ほぼハット状を呈しており、棟長手方向へ延設されている。そして、ハット状の頂部１８の棟長手方向ほぼ中央部には、上方から締結ボルト１９などの締結部材を挿入可能なボルト孔２０が２箇所隣接形成されており、ボルト孔２０の下面側には、それぞれナット部材２１が配設されている。また、ハット状のフランジ部２２は、棟部２両側の屋根勾配を形成する野地板６へそれぞれ面接触可能となるようにほぼハ字状に開いた傾斜形状を有している。そして、各フランジ部２２には、それぞれ棟長手方向のほぼ全体に亘って所要の間隔で釘孔２４が形成されている。この釘孔２４は、相互にピッチをずらせて二列形成されていると共に、棟長手方向の中央部にも形成されている。
【００１７】
上部品１７は、棟部２両側の屋根勾配を形成する屋根葺材９とほぼ平行となるよう側面視ほぼ山形を呈している。上部品１７は、棟長手方向と直交する方向へ下部品１６よりも長く延びる帯板で構成されており、両端部には、ほぼ水平近くまで曲げ起された上折部２５が形成され、この上折部２５に親綱を固定する引掛孔２７が形成されている。また、山形の頂部２８には、下部品１６の頂部１８へ当接可能な平坦部が形成され、この平坦部には、ボルト孔２０と対応するボルト孔２９が２箇所隣接形成されている。
【００１８】
そして、下部品１６と上部品１７との間隙に屋根葺材９の上端部を挿入可能としている。
【００１９】
また、スペーサ１４は、下部品１６の頂部１８と上部品１７の頂部２８との接触範囲にほぼ合致する大きさの矩形状を呈しており、ボルト孔２０、ボルト孔２９と対応するボルト孔３０が２箇所隣接形成されている。
【００２０】
なお、大棟包１３から上部品１７両端部が突出する部分には、図５に示すようにな切欠３１が形成されている。また、大棟包下地板１１の上部品１７と重複する位置には、図６に示すような溝部３２が形成されている。
【００２１】
次に、この実施の形態１の作用について説明する。
【００２２】
勾配屋根１を施工する場合、先ず、棟部２に親綱固定金具１５を固定する。親綱固定金具１５の固定は、下部品１６のハ字状をしたフランジ部２２を、棟部２両側の屋根勾配を形成する野地板６へそれぞれ面接触させ、釘孔２４を利用して野地板６および棟木３を貫くように釘打ちすることにより行う。下部品１６の固定後、下部品１６の頂部１８に、上部品１７の頂部２８を接触配置し、ボルト孔２９、ボルト孔２０を介して締結ボルト１９をナット部材２１に螺着することにより、下部品１６と上部品１７とを一体化する。この際、図７〜図１０に示すように、下部品１６と上部品１７との間に、スペーサ１４を入れないかまたは何枚入れるかを選択することにより高さを任意に調整することが可能である。なお、親綱固定金具１５は、棟長手方向に沿って複数個取付けられる。
【００２３】
親綱固定金具１５が取付けられたら、上部品１７の引掛孔２７に親綱の一端部を固定する。この際、上部品１７の端部に上折部２５を形成し、上折部２５に引掛孔２７を形成しているので、屋根構面と干渉せずに親綱を容易に固定することができる。
【００２４】
そして、作業者は、親綱の他端部を自身に装着して、屋根構面に軒先側から棟側へと屋根葺材９を葺いて行く。この際、親綱固定金具１５と対応する最上部の屋根葺材９の上端部は、下部品１６と上部品１７との間隙に挿入させるようにする。
【００２５】
屋根葺作業が完了すると、棟面戸１０および大棟包下地板１１を取付け、大棟包１３を被せて棟部２を完成する。
【００２６】
このように、下部品１６と上部品１７とをスペーサ１４を介して高さ調整可能としたことにより、図１と図１１または図１２と図１３に示すように、屋根のパターンや屋根葺材９の種類などによって屋根葺材９の上端部の厚みが変化しても、対応することが可能となり、汎用性を確保することが可能となる。加えて、図１と図１２に示すように、屋根のパターンや屋根葺材９の種類などによって形状の異なる上部品１７を複数用意しておくことにより、対応力を増すことができる。また、下部品１６と上部品１７とは、それぞれ、金属板を曲げ形成することによって作成することができるので、低コストで実現することができる。
【００２７】
また、下部品１６と上部品１７とを一体・分離可能としたことにより、下部品１６と上部品１７とが上下に重なる部分で下部品１６を棟部２に固定することができるようになり、その分、下部品１６を小型化することが可能となる。
【００２８】
【発明の効果】
以上説明してきたように、請求項１の発明によれば、下部品と上部品とをスペーサを介して高さ調整可能としたことにより、屋根のパターンや屋根葺材の種類などによって屋根葺材の上端部の厚みが変化しても、対応することが可能となり、汎用性を確保することが可能となる。また、下部品と上部品とを一体・分離可能としたことにより、下部品と上部品とが上下に重なる部分で下部品を棟部に固定することができるようになり、その分、下部品を小型化することが可能となる。
【００２９】
請求項２の発明によれば、請求項１と同様の作用効果を得ることができる、という実用上有益な効果を発揮し得る。
【図面の簡単な説明】
【図１】本発明の実施の形態１にかかる屋根の棟部の縦断面図である。
【図２】図１の親綱固定金具の分解側面図である。
【図３】図１の親綱固定金具の平面図である。
【図４】スペーサの平面図である。
【図５】大棟包の切欠を示す斜視図である。
【図６】大棟包下地板の溝部を示す斜視図である。
【図７】スペーサを介在させない親綱固定金具の側面図である。
【図８】スペーサを１枚介在させた親綱固定金具の側面図である。
【図９】スペーサを２枚介在させた親綱固定金具の側面図である。
【図１０】スペーサを３枚介在させた親綱固定金具の側面図である。
【図１１】瓦二枚時の状態を示す図１と同様の屋根の棟部の縦断面図である。
【図１２】勾配が異なる場合の図１と同様の屋根の棟部の縦断面図である。
【図１３】瓦二枚時の状態を示す図１２と同様の屋根の棟部の縦断面図である。
【符号の説明】
１    屋根（勾配屋根）
２    棟部
１４  スペーサ
１５  親綱固定金具
１６  下部品
１７  上部品
【図１】
0004376432.tif 000002
【図２】
0004376432.tif 000003
【図３】
0004376432.tif 000004
【図４】
0004376432.tif 000005
【図５】
0004376432.tif 000006
【図６】
0004376432.tif 000007
【図７】
0004376432.tif 000008
【図８】
0004376432.tif 000009
【図９】
0004376432.tif 000010
【図１０】
0004376432.tif 000011
【図１１】
0004376432.tif 000012
【図１２】
0004376432.tif 000013
【図１３】
0004376432.tif 000014